(57)【要約】【課題】情報通信網を利用し、テキスト情報をテキスト入力部によらず入力して送信又は受信ができ、また、音声情報を音声によらず入力して送信又は受信できる通信端末を提供する。【解決手段】携帯電話機１に、マイク４１（音声入力部）と、音声／テキスト変換制御部３２等（音声／テキスト変換部）と、テキスト送信部及びテキスト受信部を有する通信制御部２４等と、テキスト／音声変換制御部３３等（テキスト／音声変換部）と、スピーカ７２（音声出力部）とを設け、そして、マイク４１から入力された音声情報を、音声／テキスト変換部を用いてテキスト情報に変換してテキスト送信部を用いて送信可能とし、また、テキスト受信部が受信したテキスト情報を、テキスト／音声変換部を用いて音声情報に変換してスピーカ７２から出力可能にした。【選択図】図１
2007114582.tif 000002
【特許請求の範囲】
【請求項１】
音声情報の入力が可能な音声入力部と、
前記入力された音声情報をテキスト情報に変換する音声／テキスト変換部と、
前記変換後のテキスト情報を情報通信網に送信するテキスト送信部と、
を備える通信端末。
【請求項２】
情報通信網からテキスト情報を受信するテキスト受信部と、
前記受信したテキスト情報を音声情報に変換するテキスト／音声変換部と、
前記変換後の音声情報を出力する音声出力部と、
を備える通信端末。
【請求項３】
音声情報の入力が可能な音声入力部と、
前記入力された音声情報をテキスト情報に変換する音声／テキスト変換部と、
前記変換後のテキスト情報を情報通信網に送信するテキスト送信部と、
前記情報通信網からテキスト情報を受信するテキスト受信部と、
前記受信したテキスト情報を音声情報に変換するテキスト／音声変換部と、
前記変換後の音声情報を出力する音声出力部とを備えること、
を特徴とする通信端末。
【請求項４】
テキスト情報の入力が可能なテキスト入力部と、
前記入力されたテキスト情報を音声情報に変換するテキスト／音声変換部と、
前記変換後の音声情報を情報通信網に送信する音声送信部と、
を備える通信端末。
【請求項５】
情報通信網から音声情報を受信する音声受信部と、
前記受信した音声情報をテキスト情報に変換する音声／テキスト変換部と、
前記変換後のテキスト情報を表示するテキスト表示部と、
を備える通信端末。
【請求項６】
テキスト情報の入力が可能なテキスト入力部と、
前記入力されたテキスト情報を音声情報に変換するテキスト／音声変換部と、
前記変換後の音声情報を情報通信網に送信する音声送信部と、
前記情報通信網から音声情報を受信する音声受信部と、
前記受信した音声情報を、テキスト情報に変換する音声／テキスト変換部と、
前記変換後のテキスト情報を表示するテキスト表示部とを備えること、
を特徴とする通信端末。
【請求項７】
音声情報の入力が可能な音声入力部と、
テキスト情報の入力が可能なテキスト入力部と、
音声情報をテキスト情報に変換する音声／テキスト変換部と、
テキスト情報を音声情報に変換するテキスト／音声変換部と、
テキスト情報を情報通信網に送信するテキスト送信部と、
音声情報を前記情報通信網に送信する音声送信部と、
前記情報通信網からテキスト情報を受信するテキスト受信部と、
前記情報通信網から音声情報を受信する音声受信部と、
音声情報を出力する音声出力部と、
前記入力されたテキスト情報及び前記変換後のテキスト情報を表示するテキスト表示部と、
前記音声入力部から入力された音声情報を、前記音声／テキスト変換部を用いてテキスト情報に変換し、前記テキスト送信部を用いて送信可能であり、前記テキスト受信部が受信したテキスト情報を、前記テキスト／音声変換部を用いて音声情報に変換し、前記音声出力部から出力可能な音声入出力モードを選択する音声入出力モード選択手段と、
前記テキスト入力部から入力されたテキスト情報を、前記テキスト／音声変換部を用いて音声情報に変換し、前記音声送信部を用いて送信可能であり、前記音声受信部が受信した音声情報を、前記音声／テキスト変換部を用いてテキスト情報に変換し、前記テキスト表示部に表示可能なテキスト入出力モードを選択するテキスト入出力モード選択手段と、
を特徴とする通信端末。
【請求項８】
請求項１から請求項７までのいずれか１項に記載の通信端末において、
操作を補助するための音声ガイド機能を有すること、
を特徴とする通信端末。
【請求項９】
請求項１から請求項８までのいずれか１項に記載の通信端末において、
この端末は、音声を認識することよって操作される音声認識制御部を備えること、
を特徴とする通信端末。
【請求項１０】
請求項１から請求項９までのいずれか１項に記載の通信端末において、
異なる言語へと変換する翻訳手段を備えること、
を特徴とする通信端末。
【請求項１１】
請求項１から請求項１０までのいずれか１項に記載の通信端末において、
前記テキスト送信部、前記音声送信部、前記テキスト受信部、音声受信部の内、少なくとも１つは、無線により通信可能であること、
を特徴とする通信端末。
【請求項１２】
請求項１から請求項１１までのいずれか１項に記載の通信端末において、
この端末は携帯電話機であること、
を特徴とする通信端末。
【発明の詳細な説明】
【技術分野】
【０００１】
本発明は、情報通信網を利用してテキスト情報又は音声情報を、送信又は受信する通信端末に関するものである。
【背景技術】
【０００２】
従来から、携帯電話機の普及に従い、携帯電話機による電子メールでの情報伝達が行われている。また、瞬時に大人数へ連絡する手段として、例えば、メーリングリストを利用して、一括送信を行うことが一般化してきている。さらに、パーソナルコンピュータと携帯電話機との間でのメール交換の頻度が高くなってきた。
ところが、このような、電子メールによる情報交換は、表示装置（表示部）に表示されたテキストを確認する必要があるので、視力の弱いユーザ、目の不自由なユーザにとっては、電子メールを確認するために、他人に読み上げてもらう等の必要があり不便であるという問題があった。また、キーボード、テンキー等のテキスト入力部を複雑に操作する必要があるため、このように視覚に障害があるユーザにとっては、不便であるという問題があった。
一方、特許文献１には、電子メール、ウェブサイトに含まれるテキストデータを音声信号に変換して、電子メールの内容等を音声出力する音声出力システム及びサーバ装置が開示されている。この音声出力システムを用いれば、視覚に障害があるユーザでも、電子メールの内容を音声で確認することができる。
【０００３】
しかし、この音声出力システムを用いても、電子メールを作成するためにキーボード等のテキスト入力部を利用した複雑な入力、電子メールを送受信するためのキー操作等が必要であり、上述した問題の全ては、解決できない。
【０００４】
また、携帯電話機の普及により、聴覚に障害があるユーザは、自分の携帯電話機と、通信相手の端末との間で、電子メールにより情報の交換をすることができるようになった。
しかし、通信相手が電話をかけてくる場合もあり、この場合は、音声通話ができず、他人に通話の内容を書き出してもらう等の必要があり、不便であるという問題があった。
【特許文献１】特開２００５−１０６９０５号公報
【発明の開示】
【発明が解決しようとする課題】
【０００５】
本発明の課題は、情報通信網を利用し、テキスト情報をテキスト入力部によらず入力して送信又は受信ができ、また、音声情報を音声によらず入力して送信又は受信できる通信端末を提供することである。
【課題を解決するための手段】
【０００６】
前記課題を解決するために、請求項１の発明は、音声情報の入力が可能な音声入力部（４１）と、前記入力された音声情報をテキスト情報に変換する音声／テキスト変換部（１１，３２）と、前記変換後のテキスト情報を情報通信網（２，３）に送信するテキスト送信部（２４，１２４ａ，５１，５２）と、を備える通信端末である。
【０００７】
請求項２の発明は、情報通信網（２，３）からテキスト情報を受信するテキスト受信部（２４，１２４ｃ，５１，５２）と、前記受信したテキスト情報を音声情報に変換するテキスト／音声変換部（１２，３３）と、前記変換後の音声情報を出力する音声出力部（７２）と、を備える通信端末である。
【０００８】
請求項３の発明は、音声情報の入力が可能な音声入力部（４１）と、前記入力された音声情報をテキスト情報に変換する音声／テキスト変換部（１１，３２）と、前記変換後のテキスト情報を情報通信網（２，３）に送信するテキスト送信部（２４，１２４ａ，５１，５２）と、前記情報通信網（２，３）からテキスト情報を受信するテキスト受信部（２４，１２４ｃ，５１，５２）と、前記受信したテキスト情報を音声情報に変換するテキスト／音声変換部（１２，３３）と、前記変換後の音声情報を出力する音声出力部（７２）とを備えること、を特徴とする通信端末である。
【０００９】
請求項４の発明は、テキスト情報の入力が可能なテキスト入力部（４２）と、前記入力されたテキスト情報を音声情報に変換するテキスト／音声変換部（１２，３３）と、前記変換後の音声情報を情報通信網（２，３）に送信する音声送信部（２４，１２４ｂ，５１，５２）と、を備える通信端末である。
【００１０】
請求項５の発明は、情報通信網（２，３）から音声情報を受信する音声受信部（２４，１２４ｄ，５１，５２）と、前記受信した音声情報を、テキスト情報に変換する音声／テキスト変換部（１１，３２）と、前記変換後のテキスト情報を表示するテキスト表示部（７１）と、を備える通信端末である。
【００１１】
請求項６の発明は、テキスト情報の入力が可能なテキスト入力部（４２）と、前記入力されたテキスト情報を音声情報に変換するテキスト／音声変換部（１２，３３）と、前記変換後の音声情報を情報通信網（２，３）に送信する音声送信部（２４，１２４ｂ，５１，５２）と、前記情報通信網（２，３）から音声情報を受信する音声受信部（２４，１２４ｄ，５１，５２）と、前記受信した音声情報をテキスト情報に変換する音声／テキスト変換部（１１，３２）と、前記変換後のテキスト情報を表示するテキスト表示部（７１）とを備えること、を特徴とする通信端末である。
【００１２】
請求項７の発明は、音声情報の入力が可能な音声入力部（４１）と、テキスト情報の入力が可能なテキスト入力部（４２）と、音声情報をテキスト情報に変換する音声／テキスト変換部（１１，３２）と、テキスト情報を音声情報に変換するテキスト／音声変換部（１２，３３）と、テキスト情報を情報通信網（２，３）に送信するテキスト送信部（２４，１２４ａ，５１，５２）と、音声情報を前記情報通信網（２，３）に送信する音声送信部（２４，１２４ｂ，５１，５２）と、前記情報通信網（２，３）からテキスト情報を受信するテキスト受信部（２４，１２４ｃ，５１，５２）と、前記情報通信網（２，３）から音声情報を受信する音声受信部（２４，１２４ｄ，５１，５２）と、音声情報を出力する音声出力部（７２）と、前記変換後のテキスト情報を表示するテキスト表示部（７１）と、前記音声入力部（４１）から入力された音声情報を、前記音声／テキスト変換部（１１，３２）を用いてテキスト情報に変換し、前記テキスト送信部（２４，１２４ｂ，５１，５２）を用いて送信可能であり、前記テキスト受信部（２４，１２４ｃ，５１，５２）が受信したテキスト情報を、前記テキスト／音声変換部（１２，３３）を用いて音声情報に変換し、前記音声出力部（７２）から出力可能な音声入出力モードを選択する音声入出力モード選択手段（１３１）と、前記テキスト入力部（４２）から入力されたテキスト情報を、前記テキスト／音声変換部（１２，３３）を用いて音声情報に変換し、前記音声送信部（２４，１２４ｂ，５１，５２）を用いて送信可能であり、前記音声受信部（２４，１２４ｄ，５１，５２）が受信した音声情報を、前記音声／テキスト変換部（１１，３２）を用いてテキスト情報に変換し、前記テキスト表示部（７１）に表示可能なテキスト入出力モードを選択するテキスト入出力モード選択手段（１３１）とを備えること、を特徴とする通信端末である。
【００１３】
請求項８の発明は、請求項１から請求項７までのいずれか１項に記載の通信端末において、操作を補助するための音声ガイド機能を有すること、を特徴とする通信端末である。
請求項９の発明は、請求項１から請求項８までのいずれか１項に記載の通信端末において、この端末は、音声を認識することよって操作される音声認識制御部（３５）を備えること、を特徴とする通信端末である。
請求項１０の発明は、請求項１から請求項９までのいずれか１項に記載の通信端末において、異なる言語へと変換する翻訳手段（７１４，７３６）を備えること、を特徴とする通信端末である。
請求項１１の発明は、請求項１から請求項１０までのいずれか１項に記載の通信端末において、前記テキスト送信部、前記音声送信部、前記テキスト受信部及び音声受信部（２４，１２４ａ〜１２４ｄ，５１，５２）の内、少なくとも１つは、無線により通信可能であること、を特徴とする通信端末である。
請求項１２の発明は、請求項１から請求項１１までのいずれか１項に記載の通信端末において、この端末は携帯電話機（１，１０１，２０１，３０１，４０１，５０１，７０１）であること、を特徴とする通信端末である。
【発明の効果】
【００１４】
本発明によれば、以下の効果を奏することができる。
（１）本発明は、音声入力部から入力された音声情報を、変換する音声／テキスト変換部がテキスト情報に変換するので、キーボード、テンキー等のテキスト入力部を備えなくても、テキスト情報を、電子メール等を利用して情報通信網に送信することができる。すなわち、テキスト情報を視覚によらず、音声によって入力して送信することができる。
【００１５】
（２）本発明は、テキスト受信部が受信したテキスト情報を、テキスト／音声変換部が音声情報に変換するので、ＬＣＤ等に表示しなくても、音声情報に変換し、音声出力部に出力して確認することができる。すなわち、受信したテキスト情報を、視覚によらず、聴覚によって確認することができる。
【００１６】
（３）本発明は、音声入力部から入力された音声情報を、音声／テキスト変換部を用いてテキスト情報に変換し、また、テキスト受信部が受信したテキスト情報を、テキスト／音声変換部を用いて音声情報に変換し、音声出力部から出力可能である。これにより、前述した（１）と（２）とを合わせもった効果を得ることができる。すなわち、送信するテキスト情報を視覚によらず音声により入力でき、また、受信したテキスト情報を視覚によらず聴覚により確認することができる。
【００１７】
（４）本発明は、テキスト入力部から入力されたテキスト情報を、テキスト／音声変換部が音声情報に変換するので、マイク等の音声入力部を備えなくても、音声情報に変換し、情報通信網に送信することができる。すなわち、音声情報を音声によらないで、キーボート等を利用したテキスト入力により、送信することができる。
【００１８】
（５）本発明は、音声受信部が受信した音声情報を、音声／テキスト変換部がテキスト情報に変換するので、スピーカ等に出力しなくても、テキスト情報に変換し、表示部に出力して確認することができる。すなわち、受信した音声情報を、聴覚によらず、視覚によって確認することができる。
【００１９】
（６）本発明は、テキスト入力部から入力されたテキスト情報を、テキスト／音声変換部を用いて音声情報に変換し、また、音声受信部が受信した音声情報を、音声／テキスト変換部を用いてテキスト情報に変換する。これにより、前述した（４）と（５）とを合わせもった効果を得ることができる。すなわち、送信する音声情報を音声によらずテキスト入力部により入力でき、また、受信した音声情報を聴覚によらず視覚により確認することができる。
【００２０】
（７）本発明は、音声入出力モード選択手段、テキスト入出力モード選択手段を有している。音声入出力モードは、音声入力部から入力された音声情報を、音声／テキスト変換部を用いてテキスト情報に変換信可能であり、また、テキスト受信部が受信したテキスト情報を、テキスト／音声変換部を用いて音声情報に変換可能である。テキスト入出力モードは、テキスト入力部から入力されたテキスト情報を、テキスト／音声変換部を用いて音声情報に変換し、また、音声受信部が受信した音声情報を、音声／テキスト変換部を用いてテキスト情報に変換可能である。
これにより、音声入出力モードを選択したときは、前述した（３）の効果を得ることができ、一方、テキスト入出力モードを選択したときは、（６）の効果を得ることができる。すなわち、ユーザが視覚によらずテキスト情報を入力し、確認したいときは、音声入出力モードを選択して、音声によって入力し、聴覚によって確認をすることができる。一方、音声、聴覚によらず音声を入力し、確認したいときは、テキスト入出力モードを選択して、テキスト入力部を利用して入力し、表示部に表示して確認することができる。
【００２１】
（８）本発明は、操作を補助するための音声ガイド機能を有するので、情報の入力、送受信等のための操作を、音声ガイドに従って行うことができる。
【００２２】
（９）本発明は、音声認識制御を備えるので、操作部（キーボード等）によらず、ユーザの発声した音声を認識することにより操作することができる。
【００２３】
（１０）本発明は、異なる言語へと変換する翻訳手段を有するため、音声情報からテキスト情報への変換、又はテキスト情報から音声情報の変換を、異なる言語へと変換することができるので、送信者、受信者間で、異なる言語を用いて、情報の交換を行うことができる。
【００２４】
（１１）本発明は、無線により通信可能であるため、有線によらず情報の送受信を行うことができるので、例えば、固定回線の回線出力部（モジュラジャック等）から離れた場所等でも使用することができ、利便性を向上することができる。
【００２５】
（１２）本発明は、携帯電話機であるので、個人向けに利用することができる。また、緊急時等における障害者等への連絡、障害者等からの連絡をより容易に行うことができる。
【発明を実施するための最良の形態】
【００２６】
本発明は、情報通信網を利用し、テキスト情報をテキスト入力部によらず入力して送信又は受信ができ、また、音声情報を音声によらず入力して送信又は受信できる通信端末を提供するという目的を、携帯電話機に、マイクと、音声／テキスト変換制御部等と、テキスト送信部及びテキスト受信部を有する通信制御部等と、テキスト／音声変換制御部等と、スピーカとを設け、そして、マイクから入力された音声情報を、音声／テキスト変換制御部等を用いてテキスト情報に変換してテキスト送信部を用いて送信可能とし、また、テキスト受信部が受信したテキスト情報を、テキスト／音声変換制御部等を用いて音声情報に変換してスピーカから出力可能とすることによって実現した。
【実施例１】
【００２７】
以下、図面等を参照して、本発明を適用した通信端末の実施例１をあげて、さらに詳しく説明する。
図１は、実施例１の携帯電話機１（通信端末）等を示すブロック図である。
携帯電話機１は、公衆回線２、基地局３等から構成される情報通信網を利用して、他の携帯電話機、パーソナルコンピュータ等との間で音声通話及びテキスト情報の交換が可能な端末である。
図１に示すように、携帯電話機１は、制御ブロックに、メールプログラム記憶部１０と、端末制御部２０と、メール制御部３０と、マイク４１（音声入力部）と、テンキー４２（テキスト入力部）と、信号処理回路４３と、アンテナ５１と、ＲＦ入出力回路５２と、駆動回路６０と、表示部７１（テキスト表示部）と、スピーカ７２（音声出力部）とを備えている。
【００２８】
メールプログラム記憶部１０は、携帯電話機１が他の携帯電話機等との間で、電子メールにより情報を交換するために必要な情報（プログラムソフト等）を記憶するためのフラッシュメモリ等の記憶装置である。メールプログラム記憶部１０は、音声／テキスト変換プログラム部１１と、テキスト／音声変換プログラム部１２と、メール情報記憶部１３とを備えている。
音声／テキスト変換プログラム部１１は、音声情報をテキスト情報に変換するためのプログラムソフトを記憶するための記憶部である。
テキスト／音声変換プログラム部１２は、テキスト情報を音声情報に変換するためのプログラムソフトを記憶するための記憶部である。
メール情報記憶部１３は、送受信する電子メールのデータ、メールアドレス等の情報を記憶するための記憶部である。
【００２９】
端末制御部２０は、携帯電話機１の機能、動作等を統括的に制御するＣＰＵ（中央演算装置）であり、メニュー選択制御部２１と、表示部制御部２２と、音声制御部２３と、通信制御部２４とを備えている。
メニュー選択制御部２１は、携帯電話機１の機能を選択するための制御部である。メニュー選択制御部２１は、テンキー４２の操作に応じて、表示部制御部２２、メール制御部３０等との間で情報の伝達等の処理を行う。これにより、携帯電話機１は、表示部７１への画像表示、電子メール等の機能選択をすることができる。
表示部制御部２２は、駆動回路６０の表示部駆動回路６１（後述する）を制御するための制御部である。
音声制御部２３は、駆動回路６０の音声駆動回路６２（後述する）を制御するための制御部である。
通信制御部２４は、ＲＦ入出力回路５２を制御するための制御部であり、ＲＦ入出力回路５２との間で信号の入出力を行う。通信制御部２４と、ＲＦ入出力回路５２と、アンテナ５１とは、情報通信網からテキスト情報を受信するテキスト受信部と、テキスト情報を情報通信網に送信するテキスト送信部とを構成する。
【００３０】
メール制御部３０は、携帯電話機１が電子メールを用いて情報交換を行うための制御部である。メール制御部３０は、端末制御部２０との間で、適宜必要な情報の伝達を行う。なお、メール制御部３０は、端末制御部２０に含まれるタイプの制御部でもよい。メール制御部３０は、メール選択制御部３１と、音声／テキスト変換制御部３２と、テキスト／音声変換制御部３３と、メール情報制御部３４と、音声認識制御部３５とを備えている。
メール選択制御部３１は、電子メールに関する機能を選択するための制御部である。メール選択制御部３１は、テンキー４２の操作に応じて、例えば、メールアカウントの設定、電子メール作成等のための処理を行う。
【００３１】
音声／テキスト変換制御部３２は、音声情報をテキスト情報に変換するための制御部であり、音声／テキスト変換プログラム部１１に記憶されたプログラムソフトにより動作される。すなわち、音声／テキスト変換制御部３２と音声／テキスト変換プログラム部１１とは、音声情報をテキスト情報に変換する音声／テキスト変換部である。
テキスト／音声変換制御部３３は、テキスト情報を音声情報に変換するための制御部であり、テキスト／音声変換プログラム部１２に記憶されたプログラムソフトにより動作される。すなわち、テキスト／音声変換制御部３３とテキスト／音声変換プログラム部１２とは、テキスト情報を音声情報に変換するテキスト／音声変換部である。
【００３２】
メール情報制御部３４は、メール情報記憶部１３に関連した処理を行うための制御部であり、例えば、メール情報記憶部１３に記憶された電子メールのデータ、メールアドレス等の読み出し、削除等を行う。
音声認識制御部３５は、携帯電話機１の操作を、テンキー４２による入力によらなくても、マイク４１からの音声入力により、行うことができるようにするための制御部である。音声認識制御部３５は、マイク４１から入力された音声を認識し、この音声が携帯電話機１を操作するための命令であると判断したとき、これに従って、携帯電話機１を動作させる。例えば、電子メールの送信は、「メール送信」とマイク４１に入力されることにより行われる。なお、音声認識制御部３５は、音声を直接認識するのではなく、音声／テキスト変換制御部３２が変換したテキスト情報を認識することにより、携帯電話機１を動作させてもよい。
このように、携帯電話機１は、音声を認識することよって操作が可能であるため、操作部（テンキー４２等）によらず、ユーザの発声した音声により操作することができる。
【００３３】
マイク４１（音声入力部）は、音声情報の入力をするための、例えば、コンデンサマイクである。
テンキー４２（テキスト入力部）は、文字、数字等のテキスト情報を入力し、また、携帯電話機１を操作するための操作部である。
信号処理回路４３は、マイク４１に入力された音声情報、テンキー４２に入力されたテキスト情報に必要な処理をして、端末制御部２０に出力するための電気回路である。
アンテナ５１は、音声通話、電子メール等の情報を無線により送受信するために、基地局３との間で電波を送受信するための部材である。アンテナ５１は、ＲＦ入出力回路５２からの信号を基地局３に送信し、また、受信した信号をＲＦ入出力回路５２に出力する。
ＲＦ入出力回路５２は、端末制御部２０の通信制御部２４（後述する）からの信号に必要な処理をしてアンテナ５１に出力し、また、アンテナ５１からの信号に必要な処理をして通信制御部２４に出力するための電気回路である。
【００３４】
駆動回路６０は、携帯電話機１を駆動するための電気回路であり、表示部７１を駆動するための表示部駆動回路６１と、スピーカ７２を駆動するための音声駆動回路６２とを有している。
表示部７１は、テキスト情報、画像等を表示するための、例えば、ＬＣＤ（液晶表示装置）である。表示部７１は、テンキー４２により入力されたテキスト情報と、変換後のテキスト情報を表示する。
スピーカ７２（音声出力部）は、ユーザが他の携帯電話機等との間で音声通話を行ったり、テキスト情報から変換された音声情報を出力するための、例えば、圧電スピーカ等である。
【００３５】
次に、携帯電話機１の電子メールの送受信動作等について説明する。
最初に、携帯電話機１の電子メールの送信動作等について説明する。
図２は、携帯電話機１の電子メールの送信と、この電子メールを受信する端末Ａの動作を示す流れ図である。図３は、携帯電話機１の電子メール送信動作を示す外観図である。
なお、端末Ａは、電子メールの送受信が可能な携帯電話機、パーソナルコンピュータ等である。
最初にステップＳ１において、マイク４１に、ユーザが発声した音声情報が入力される。このとき、図３（ａ）に示すように、「声で入力して下さい。プレビューするときは＊を押して下さい。」と、音声入力のための表示が、表示部７１に表示される。また、この表示がなくても、「声で入力して下さい。」と、音声ガイドがスピーカ７２から出力されるため、ユーザは、容易に電子メールの入力をすることができる。なお、以下の動作についても、同様に音声ガイドが適宜スピーカ７２から出力される。
このように、携帯電話機１は、操作を補助するための音声ガイド機能を有するので、情報の入力、送受信等のための操作を、音声ガイドに従って行うことができる。
ステップＳ２において、音声／テキスト変換制御部３２等は、マイク４１から入力された音声情報をテキスト情報に変換する。変換されたテキスト情報は、表示部７１に表示される。図３に、「おはよう」と音声入力され、テキスト情報が表示部７１に表示された例を示す。
【００３６】
ステップＳ３において、テンキー４２の「＊（アスタ）」キーが押されると、変換されたテキスト情報は、テキスト／音声変換制御部３３等により、さらに音声情報に再変換され、スピーカ７２から出力される。これにより、ユーザは、入力した情報を、表示部７１に表示することなく確認することができる。そして、ユーザが入力した情報を修正等したいと判断した場合、メール制御部３０は、ユーザによるテンキー４２の操作に応じて、ステップＳ１からの動作を繰り返し、再度、音声情報の入力（録音）が行われる（ステップＳ３；Ｎｏ）。なお、本実施例の携帯電話機１は、音声認識制御部３５が音声認識して操作が可能であるので、テンキー４２による入力の代わりに、マイク４１に音声で「アスタ」、「Ｎｏ」等と入力することにより同様な操作を行うことができる。なお、説明は省略するが、以下の動作についても、同様に音声により行うことができる。
【００３７】
一方、ステップＳ３において、ユーザが入力した情報で問題ないと判断した場合、メール制御部３０は、テンキー４２の操作又はマイク４１への入力（例えば、音声で「Ｙｅｓ」と入力）に応じて、ステップＳ４へと処理を進める（ステップＳ３；Ｙｅｓ）。
【００３８】
ステップＳ４において、メール情報制御部３４は、変換後のテキスト情報をメール情報記憶部１３に記憶させる。
ステップＳ５において、通信制御部２４は、ＲＦ入出力回路５２等を介して、電子メールの変換後のテキスト情報を情報通信網に送信し、そして、ステップＳ６において、携帯電話機１側の処理が終了する（ステップＳ６；ＥＮＤ）。
【００３９】
ステップＳ７において、端末Ａは、携帯電話機１が送信した電子メールのテキスト情報を受信する。
ステップＳ８において、端末Ａが受信したテキスト情報は、端末Ａの記憶部に記憶され、そして、ステップＳ９において、端末Ａの動作は終了する（ステップＳ９；ＥＮＤ）。なお、受信した電子メールのテキスト情報は、端末Ａのユーザの操作に応じて、端末Ａの表示部に表示される。
【００４０】
次に、携帯電話機１の電子メールの受信動作等について説明する。
図４は、端末Ａの電子メールの送信と、この電子メールを受信する携帯電話機１の動作を示す流れ図である。図５は、携帯電話機１の電子メール受信動作を示す外観図である。
ステップＳ１１からステップＳ１４において、ユーザによる端末Ａへの電子メールの作成（テキスト入力）と、端末Ａによるこの電子メールのテキスト情報の送信が行われる。
【００４１】
ステップＳ１５において、通信制御部２４は、ＲＦ入出力回路５２等を介して、電子メールのテキスト情報を情報通信網から受信する。
ステップＳ１６において、メール情報制御部３４は、このテキスト情報をメール情報記憶部１３に記憶させる。
ステップＳ１７において、テンキー４２が操作されることにより、電子メール読み出しのための動作が開始される。そして、図５（ａ）に示すように、「メール受信ＢＯＸを読み上げる場合は＊を、送信ＢＯＸを読み上げる場合には、＃を押して下さい。」と、表示部７１に表示され、また、同時にスピーカ７２から同様な内容の音声ガイドが出力される。
【００４２】
ステップＳ１８において、メール情報制御部３４は、メール情報記憶部１３に記憶された電子メールのテキスト情報を確認し、これを読み出す。図５（ｂ）に示すように、読み出された電子メールは、メール番号、未読又は既読であるか、受信日時、差出人、件名の情報が表示される。本実施例では、「００１  未読  ０９／０１  １２：１５  Ｆｒｏｍ：○○○○、件名Ｓuｂｊｅｃｔ：□□の件」、「００２  既読  ０８／３１  ２３：３０  Ｆｒｏｍ：○○○○、件名Ｓuｂｊｅｃｔ：□□の件」の２件が表示される。
ステップＳ１９において、テキスト／音声変換制御部３３等は、読み出された電子メールのテキスト情報を音声情報に変換し、メール情報記憶部１３に一時的に記憶させる。
ステップＳ２０において、メール制御部３０は、音声制御部２３との間で情報の伝達を行い、図５（ｂ）に示すように、音声制御部２３は、メール番号、未読又は既読、メール番号、受信日時、差出人、件名の情報を音声によりスピーカ７２から出力する。本実施例では、「１件目、９月１日１２時１５分、○○○○さんより、□□の件」等と出力される。
【００４３】
ステップＳ２１において、ユーザが開きたい電子メールを選択することにより、その電子メールの全文（本実施例では、「００１  既読  ０９／０１  １２：１５  Ｆｒｏｍ：○○○○、件名Ｓuｂｊｅｃｔ：□□の件」、及び本文である「こんにちは。−ＥＮＤ−」）が、表示部７１に表示される。これと同時に、メール情報制御部３４は、メール情報記憶部１３に一時的に記憶されたこの電子メールに関する変換後の音声情報を読み出し、そして、図５（ｃ）に示すように、音声制御部２３等は、その電子メールの本文の全文を、音声情報としてスピーカ７２から出力する。この選択は、テンキー４２の操作によるものでもよく、マイク４１への入力（例えば、「１件目選択」と入力）によるものでもよい。
【００４４】
以上説明したように、本実施例の携帯電話機１は、マイク４１（音声入力部）と、音声／テキスト変換制御部３２等（音声／テキスト変換部）と、テキスト送信部及びテキスト受信部を有する通信制御部２４等と、テキスト／音声変換制御部３３等（テキスト／音声変換部）と、スピーカ７２（音声出力部）とを備え、マイク４１から入力された音声情報を、音声／テキスト変換部を用いてテキスト情報に変換し、テキスト送信部を用いて送信可能であり、また、テキスト受信部が受信したテキスト情報を、テキスト／音声変換部を用いて音声情報に変換し、スピーカ７２から出力可能である。
これにより、送信するテキスト情報を視覚によらず音声により入力でき、また、受信したテキスト情報を視覚によらず聴覚により確認することができるので、例えば、視覚に障害のあるユーザ等でも容易に電子メール等の作成、確認をすることができる。
【００４５】
また、本実施例の携帯電話機１は、通信制御部２４、アンテナ５１等（テキスト送信部、テキスト受信部）は、無線により情報通信網との間の通信が可能であるので、有線によらず情報の送受信を行うことができるので、例えば、固定回線の入出力部（モジュラジャック等）から離れた場所等でも使用することができ、利便性を向上することができる。
さらに、携帯電話機であるので、より個人向けに利用することができる。また、緊急時等における障害者等への連絡、障害者等からの連絡をより容易に行うことができる。
【実施例２】
【００４６】
次に、本発明を適用した通信端末の実施例２について説明する。
実施例２の携帯電話機１０１（通信端末）は、電子メール作成時の入力部、通信制御部等を、ユーザが任意に選択できるようにした端末である。
なお、以下の説明において、前述した実施例１と同様の機能を果たす部分には、同一の名称を付して、重複する説明を適宜省略する。
図６は、携帯電話機１０１（通信端末）等を示すブロック図である。
携帯電話機１０１は、メール制御部１３０にメール選択制御部１３１と、端末制御部１２０に通信制御部１２４とを有している。
【００４７】
メール選択制御部１３１（音声入出力モード選択手段、テキスト入出力モード選択手段）は、電子メールの入力部、音声又はテキストの変換部、送受信部、情報の出力部の選択を制御するための制御部である。メール選択制御部１３１は、テンキー４２の操作に応じて、電子メールの入力部等の選択を行う。この選択した情報は、メールプログラム記憶部１０内に記憶しても、メール制御部１３０内に一次的に記憶する記憶部を設けて記憶してもよい。
メール選択制御部１３１により、携帯電話機１０１は、後述する音声入出力モード、テキスト入出力モード等の選択をすることができる。
【００４８】
通信制御部１２４は、テキスト送信制御部１２４ａ（テキスト送信部）と、音声送信制御部１２４ｂ（音声送信部）と、テキスト受信制御部１２４ｃ（テキスト受信部）と、音声受信制御部１２４ｄ（音声受信部）とを有している。
テキスト送信制御部１２４ａは、テキスト情報を、情報通信網に送信するための制御部である。テキスト送信制御部１２４ａは、ＲＦ入出力回路５２を制御し、アンテナ５１を介して、テキスト情報を送信する。
同様に、音声送信制御部１２４ｂは、音声情報を、情報通信網に送信するための制御部である。
テキスト受信制御部１２４ｃは、テキスト情報を、情報通信網から受信するための制御部である。
音声受信制御部１２４ｄは、音声情報を、情報通信網から受信するための制御部である。
【００４９】
次に、携帯電話機１０１の入力部等の選択例を説明する。
図７は、携帯電話機１０１による電子メールの入力部等の選択例を示す表である。
図７に示すように、本実施例では、音声入出力モード、テキスト入出力モードを選択した例を示す。図中「○」印は、左段に示す部分を選択したことを示す。なお、以下、音声入出力モード、テキスト入出力モードについて説明するが、入力部等の選択は、ユーザが携帯電話機１０１を使い易いように、適宜行うことができる。
【００５０】
最初に、音声入出力モードを選択した例について説明する。
音声入出力モードは、情報の入力部としてマイク４１、変換部として音声／テキスト変換制御部３２及びテキスト／音声変換制御部３３、通信制御部２４の送信部としてテキスト送信制御部１２４ａ及び受信部としてテキスト受信制御部１２４ｃ、出力部としてスピーカ７２を選択した例である。音声入出力モードを選択した場合、携帯電話機１０１は、音声入力、音声出力により、他の端末との間でテキスト情報の交換をすることができる。
【００５１】
音声入出力モードを選択した場合の携帯電話機１０１の動作を、図８（ａ）を用いて説明する。
図８（ａ）は、音声入出力モードを選択した場合の携帯電話機１０１の動作を模式的に示す流れ図であり、図８（ａ−１）は、送信動作、図８（ａ−２）は、受信動作を示す。
図８（ａ−１）に示すように、電子メールを作成しこれを送信する場合は、最初に、ステップＳ３１において、マイク４１（音声入力部）から音声情報を入力する。
ステップＳ３２において、音声／テキスト変換制御部３２等は、入力された音声情報をテキスト情報に変換し、次に、メール情報制御部３４は、メール情報記憶部１３に変換したテキスト情報を記憶させる。
ステップＳ３３において、通信制御部１２４のテキスト送信制御部１２４ａは、テンキー４２の操作に応じて、情報通信網にテキスト情報を送信する。
【００５２】
一方、図８（ａ−２）に示すように、電子メールを受信しこれを音声情報として出力する場合は、最初に、ステップＳ３６において、通信制御部１２４のテキスト受信制御部１２４ｃは、情報通信網から電子メールのテキスト情報を受信する。
ステップＳ３７において、テキスト／音声変換制御部３３は、受信したテキスト情報を音声情報に変換し、次に、メール情報制御部３４は、メール情報記憶部１３に変換した音声情報を記憶させる。
ステップＳ３８において、テンキー４２が所定の操作をされることにより、音声制御部２３等は、メール情報記憶部１３に記憶された音声情報を、スピーカ７２から出力する。
【００５３】
次に、テキスト入出力モードを選択した例について説明する。
テキスト入出力モードは、図７に示すように、情報の入力部としてテンキー４２、変換部として音声／テキスト変換制御部３２及びテキスト／音声変換制御部３３、通信制御部１２４の送信部として音声送信制御部１２４ｂ及び受信部として音声受信制御部１２４ｄ、出力部として表示部７１を選択した例である。テキスト入出力モードを選択した場合、携帯電話機１０１は、テキスト情報の入出力により、他の端末との間で音声情報の交換をすることができる。
【００５４】
テキスト入出力モードを選択した場合の携帯電話機１０１の動作を、図８（ｂ）を用いて説明する。
図８（ｂ）は、テキスト入出力モードを選択した場合の携帯電話機１０１の動作を模式的に示す流れ図であり、図８（ｂ−１）は、送信動作、図８（ｂ−２）は、受信動作を示す。
図８（ｂ−１）に示すように、音声情報を有する電子メールを作成しこれを送信する場合は、最初に、ステップＳ４１において、ユーザによりテンキー４２からテキスト情報が入力される。
ステップＳ４２において、テキスト／音声変換制御部３３等は、入力されたテキスト情報を音声情報に変換し、次に、メール情報制御部３４は、メール情報記憶部１３に変換した音声情報を記憶させる。このとき、音声情報は、音声ファイルとして記憶される。
ステップＳ３３において、テンキー４２が所定の操作をされることにより、通信制御部１２４のテキスト送信制御部１２４ａは、情報通信網に音声情報（音声ファイル）を送信する。
【００５５】
一方、図８（ｂ−２）に示すように、音声情報を有する電子メールを受信しこれをテキスト情報として出力する場合は、最初に、ステップＳ４６において、通信制御部１２４のテキスト受信制御部１２４ｃは、情報通信網から電子メールの音声情報（音声ファイル）を受信する。
ステップＳ４７において、音声／テキスト変換制御部３２等は、受信した音声情報をテキスト情報に変換し、次に、メール情報制御部３４は、メール情報記憶部１３に変換したテキスト情報を記憶させる。
ステップＳ４８において、表示部制御部２２等は、テンキー４２の操作に応じて、記憶されたテキスト情報を表示部７１に表示（出力）する。
【００５６】
以上説明したように、本実施例の携帯電話機１０１（通信端末）は、メール選択制御部１３１（音声入出力モード選択手段、テキスト入出力モード選択手段）を有している。音声入出力モードは、マイク４１（音声入力部）から入力された音声情報を、音声／テキスト変換制御部３２等（音声／テキスト変換部）を用いてテキスト情報に変換し、テキスト送信制御部１２４ａを用いて送信可能であり、また、テキスト受信制御部１２４ｃが受信したテキスト情報を、テキスト／音声変換制御部３３等（テキスト／音声変換部）を用いて音声情報に変換し、スピーカ７２（音声出力部）から出力可能である。一方、テキスト入出力モードは、テンキー４２（テキスト入力部）から入力されたテキスト情報を、テキスト／音声変換制御部３３等を用いて音声情報に変換し、音声送信制御部１２４ｂを用いて送信可能であり、また、音声受信制御部１２４ｄが受信した音声情報を、音声／テキスト変換制御部３２等を用いてテキスト情報に変換し、表示部７１（テキスト表示部）に表示可能である。
これにより、ユーザは、音声入出力モードを選択することにより、テキスト情報の交換を、視覚によらず、音声入力、音声出力によって行うことができる。一方、テキスト入出力モードを選択することにより、音声情報の交換を、音声、聴覚によらず、テキスト情報の入力、出力（表示）により行うことができる。
【実施例３】
【００５７】
次に、本発明を適用した通信端末の実施例３について説明する。
実施例３の携帯電話機２０１，３０１，４０１，５０１（通信端末）は、実施例２の携帯電話機１０１を、専用端末に変更した端末である。すなわち、実施例２の携帯電話機１０１が入力部等をユーザが任意に選択できたのに対し、実施例３の携帯電話機２０１等は、入力部等が、予め定められている端末である。
図９は、携帯電話機２０１等の入力部等を示す表である。
図９に示すように、携帯電話機２０１は、音声情報の入力部としてマイク４１、入力された音声情報をテキスト情報に変換する音声／テキスト変換制御部３２等（音声／テキスト変換部）、変換後のテキスト情報を情報通信網に送信するテキスト送信制御部１２４ａを有している。
このような構成にすることにより、携帯電話機２０１は、テンキー等のテキスト入力部を備えなくても、音声入力した情報をテキスト情報に変換して、電子メールにして送信することができる。すなわち、テキスト情報を視覚によらず、音声によって入力して、送信することができる。携帯電話機２０１の電子メールの送信動作は、実施例２で説明した図８（ａ−１）に示す動作と同様である。
【００５８】
携帯電話機３０１は、テキスト情報を受信するテキスト受信制御部１２４ｃ、受信したテキスト情報を音声情報に変換するテキスト／音声変換制御部３３等（テキスト／音声変換部）、変換後の音声情報を出力するスピーカ７２（音声出力部）を有している。
これにより、携帯電話機３０１は、テキスト情報を表示する表示部を備えなくても、電子メールのテキスト情報を受信して音声情報で出力することができる。すなわち、受信したテキスト情報を、視覚によらず、聴覚によって確認することができる。携帯電話機３０１の電子メールの受信動作は、図８（ａ−２）に示す動作と同様である。
【００５９】
携帯電話機４０１は、テキスト情報の入力が可能なテンキー（テキスト入力部）、入力されたテキスト情報を音声情報に変換するテキスト／音声変換制御部３３等（テキスト／音声変換部）、変換後の音声情報を情報通信網に送信する音声送信制御部１２４ｂを有している。
これにより、音声情報を入力するために、マイク等の音声入力部を備えなくても、テキスト入力した情報を音声情報に変換して、情報通信網に送信することができる。すなわち、音声情報を音声による入力ではなく、キーボート等を利用したテキスト入力により、送信することができる。携帯電話機４０１の電子メールの送信動作は、図８（ｂ−１）に示す動作と同様である。
【００６０】
携帯電話機５０１は、情報通信網から音声情報を受信する音声受信制御部１２４ｄ、受信した音声情報をテキスト情報に変換する音声／テキスト変換制御部３２等（音声／テキスト変換部）、変換後のテキスト情報を表示する表示部７１（テキスト表示部）を有している。
これにより、受信した音声情報をスピーカ等に出力しなくても、音声情報をテキスト情報に変換して、表示部７１に表示（出力）して確認することができる。すなわち、受信した音声情報を、聴覚によらず、視覚によって確認することができる。携帯電話機５０１の電子メールの受信動作は、図８（ｂ−２）に示す動作と同様である。
【００６１】
このように、携帯電話機２０１，３０１，４０１，５０１は、用途に応じて、送受信部、入出力部が予め設定された専用端末にすることにより、シンプルな構成にすることができる。
【実施例４】
【００６２】
次に、本発明を適用した通信端末の実施例４について説明する。
実施例４の携帯電話機７０１（通信端末）は、実施例１の携帯電話機１に、異なる言語へと変換する翻訳手段を追加したものである。
図１０は、実施例４の携帯電話機７０１（通信端末）等を示すブロック図である。
携帯電話機７０１は、メールプログラム部７１０に翻訳プログラム部７１４と、メール制御部７３０に翻訳制御部７３６とを備えている。
翻訳プログラム部７１４は、翻訳プログラムソフトを記憶するための記憶部である。翻訳プログラムソフトは、テキスト情報を日本語と英語との間で翻訳するためのものである。
翻訳制御部７３６は、テキスト情報を日本語と英語との間で翻訳するための制御部であり、翻訳プログラム部７１４の翻訳プログラムソフトにより動作される。翻訳制御部７３６は、音声／テキスト変換制御部３２及びテキスト／音声変換制御部３３との間で、必要な情報を伝達する。翻訳プログラム部７１４と翻訳制御部７３６とは、テキスト情報を異なる言語へと変換する翻訳手段である。
なお、翻訳制御部７３６は、音声／テキスト変換制御部３２及びテキスト／音声変換制御部３３内に、設けられていてもよい。
【００６３】
次に、携帯電話機７０１の動作について説明する。
図１１は、携帯電話機７０１と端末Ｂとの間における、電子メールの送受信動作を示す流れ図である。この端末Ｂは、英語のテキスト情報を送受信でき、また、英語のテキスト情報を表示可能な表示部を備えた携帯電話機等である。なお、以下の説明において、テキスト情報、音声情報の言語を表すために、適宜かっこ内に「日本語」、「英語」と記す。
【００６４】
最初に、図１１（ａ−１）、図１１（ｂ−１）を用いて、携帯電話機７０１から端末Ｂに電子メールを送信する動作について説明する。
図１１（ａ−１）に示すように、ステップＳ５１において、携帯電話機７０１は、電子メールを作成するために、マイク４１から音声情報（日本語）が入力される。
ステップＳ５２において、音声／テキスト変換制御部３２等（テキスト／音声変換部）は、入力された音声情報（日本語）をテキスト情報（日本語）に変換する。
ステップＳ５３において、翻訳制御部７３６等は、変換されたテキスト情報（日本語）をテキスト情報（英語）へと翻訳する。
そして、ステップＳ５３において、通信制御部２４は、テンキー４２等の操作に応じて、翻訳されたテキスト情報（英語）を、情報通信網に送信する。
なお、以上のステップＳ５１からステップＳ５３までにおいて、入力された音声情報（日本語）を直接テキスト情報（英語）に変換、翻訳してもよい。
次に、図１１（ｂ−１）に示すように、端末Ｂは、ステップＳ５６において、携帯電話機７０１が送信したテキスト情報（英語）を受信し、ステップＳ５７において、操作部等の操作に応じて表示部にテキスト情報（英語）を表示する。
【００６５】
次に、図１１（ａ−２）、図１１（ｂ−２）を用いて、端末Ｂからの電子メールを、携帯電話機７０１が受信する動作について説明する。
図１１（ｂ−２）に示すように、端末Ｂは、ステップＳ６１において、電子メールを作成するために、操作部からテキスト情報（英語）が入力され、ステップＳ６２において、入力されたテキスト情報（英語）を情報通信網に送信する。
【００６６】
次に、図１１（ｂ−１）に示すように、ステップＳ６６において、携帯電話機７０１の通信制御部２４は、情報通信網から電子メールのテキスト情報（英語）を受信する。
ステップＳ６７において、翻訳制御部７３６は、受信したテキスト情報（英語）をテキスト情報（日本語）へと翻訳し、ステップＳ６８において、テキスト／音声変換制御部３２等（テキスト／音声変換部）は、翻訳されたテキスト情報（日本語）を音声情報（日本語）に変換する。
そして、ステップＳ６９において、音声制御部２３等は、音声情報（日本語）を、スピーカ７２から出力する。
【００６７】
以上説明したように、本実施例の携帯電話機７０１は、翻訳プログラム部７１４及び翻訳制御部７３６（翻訳手段）を有するので、入力された音声情報（日本語）を、テキスト情報（英語）に変換して、端末Ｂに送信することができる。また、端末Ｂが入力したテキスト情報（英語）を、携帯電話機７０１は、音声情報（日本語）として出力することができる。これにより、携帯電話機７０１と端末Ｂとは、携帯電話機７０１が日本語の音声で情報の入出力を行い、端末Ｂが英語のテキスト情報で情報の入出力をすることにより、情報交換をすることができる。
【００６８】
さらに、端末Ｂが、受信したテキスト情報を読み上げるテキストリーダと、入力した音声情報をテキスト情報に変換する音声（英語）／テキスト変換部（英語）とを有していれば、携帯電話機７０１と端末Ｂとの間の情報交換は、異なる言語による音声通話によって行うことができる。
【００６９】
（変形例）
以上説明した実施例に限定されることなく、種々の変形や変更が可能であって、それらも本発明の均等の範囲内である。
（１）各実施例において、通信端末は、携帯電話機である例を示したが、これに限定されない。通信端末は、他の情報端末との間で、電子メール等により、音声情報又はテキスト情報の交換を行えるものであればよい。例えば、通信端末は、パーソナルコンピュータであり、インターネットを介して、情報の送受信を行ってもよい。また、電子メール等により情報交換が可能なトランシーバ、固定電話機等でもよい。
【００７０】
（２）実施例２において、携帯電話機１０１（通信端末）のメール選択制御部１３１（音声入出力モード選択手段、テキスト入出力モード選択手段）は、音声入出力モード（又はテキスト入出力モード）の選択が可能である例を示したが、これに限定されない。通信端末は、音声入出力モード（又はテキスト入出力モード）のみに必要な入力部、変換部等（図７参照）のみを備えた携帯電話機等でもよい。これによっても、この携帯電話機等は、音声入出力モード（又はテキスト入出力モード）による効果と同様な効果を得ることができ、また、シンプルな構成にすることができる。
【図面の簡単な説明】
【００７１】
【図１】本発明を適用した実施例１の携帯電話機等のブロック図である。
【図２】実施例１の携帯電話機による電子メール送信等の動作の流れ図である。
【図３】実施例１の携帯電話機による電子メール送信時の外観図である。
【図４】実施例１の携帯電話機による電子メール受信時の動作の流れ図である。
【図５】実施例１の携帯電話機による電子メール受信時の外観図である。
【図６】本発明を適用した実施例２の携帯電話機等のブロック図である。
【図７】実施例２の携帯電話機による入力部等の選択例を示す表である。
【図８】実施例２の携帯電話機による動作の流れ図である。
【図９】本発明を適用した実施例３の携帯電話機の入力部等を示す表である。
【図１０】本発明を適用した実施例４の携帯電話機等のブロック図である。
【図１１】実施例４の携帯電話機等の情報の送受信等の流れ図である。
【符号の説明】
【００７２】
１，１０１，２０１，３０１，４０１，５０１，７０１    携帯電話機
２    公衆回線
３    基地局
１０    メールプログラム記憶部
１１    音声／テキスト変換プログラム部
１２    テキスト／音声変換プログラム部
２４    通信制御部
３２    音声／テキスト変換制御部
３３    テキスト／音声変換制御部
３５    音声認識制御部
４１    マイク
４２    テンキー
５１    アンテナ
５２    ＲＦ入出力回路
７１    表示部
７２    スピーカ
１２４    通信制御部
１２４ａ    テキスト送信制御部
１２４ｂ    音声送信制御部
１２４ｃ    テキスト受信制御部
１２４ｄ    音声受信制御部
７１４    翻訳プログラム部
７３６    翻訳制御部
【図１】
2007114582.tif 000003
【図２】
2007114582.tif 000004
【図３】
2007114582.tif 000005
【図４】
2007114582.tif 000006
【図５】
2007114582.tif 000007
【図６】
2007114582.tif 000008
【図７】
2007114582.tif 000009
【図８】
2007114582.tif 000010
【図９】
2007114582.tif 000011
【図１０】
2007114582.tif 000012
【図１１】
2007114582.tif 000013